(57)【要約】【課題】簡便に感知対象物の検出または定量を行うことができる感知センサーを提供すること。【解決手段】凹部が形成された配線基板３と、振動領域が凹部と対向するように前記配線基板３に固定される水晶振動子４Ａ、４Ｂと、前記水晶振動子４Ａ、４Ｂを含む配線基板３の一面側の領域を覆うように設けられた下部側流路形成部材５と、下部側流路形成部材５に設けられた試料液を貯留するための廃液領域６と、注入口から水晶振動子４Ａ、４Ｂの一面側を介して廃液領域６へ毛細管現象により試料液を流通させるための流路５７と、前記流路５７から流出した試料液がその表面を伝わって流れるように前記廃液領域６に設けられた親水性の廃液領域形成部材６３と、前記第１の水晶振動子４Ａに設けられ、試料液中の感知対象物を吸着する吸着層と、を備えるように感知センサー２を構成する。【選択図】図２
2014145651.tif 000002
【特許請求の範囲】
【請求項１】
発振周波数を測定するための測定器に接続される接続端子を備えると共に、一面側に凹部が形成された配線基板と、
圧電片に励振電極を設けて構成され、前記凹部を塞ぎ且つ振動領域が凹部と対向するように前記配線基板に固定されると共に、励振電極が前記接続端子に電気的に接続され、一面側に試料液中の感知対象物を吸着する吸着膜が形成された圧電振動子と、
圧電振動子を含む配線基板の一面側の領域を覆うように設けられ、試料液の注入口を備えた流路形成部材と、
前記配線基板と流路形成部材との間に形成され、前記注入口に供給された試料液を、圧電振動子の一面側において一端側から他端側へ向けて毛細管現象により流通させる流路と、
前記流路形成部材において前記流路の下流側に設けられ、流路から流出した試料液を貯留するための廃液領域と、
前記流路形成部材よりも試料液に対する親和性が高い材質よりなり、前記流路から流出した試料液がその表面を伝わって流れるように前記流路形成部材と組み合わされて前記廃液領域を形成する廃液領域形成部材と、
前記流路に試料液を流通させるために前記廃液領域に開口した通気口と、を備えることを特徴とする感知センサー。
【請求項２】
前記廃液領域は、前記流路形成部材の表面に設けられた凹部を前記廃液領域形成部材により塞ぐことにより形成されることを特徴とする請求項１記載の感知センサー。
【請求項３】
前記廃液領域は、前記流路形成部材の凹部の周縁部に沿って設けられた段部に廃液領域形成部材の周縁部を載置することにより形成されることを特徴とする請求項２記載の感知センサー。
【請求項４】
前記流路形成部材は合成樹脂よりなり、前記廃液領域形成部材はガラスよりなることを特徴とする請求項１ないし３のいずれか一つに記載の感知センサー。
【請求項５】
前記注入口は、多孔質のフィルタの孔により構成されることを特徴とする請求項１ないし４のいずれか一つに記載の感知センサー。
【請求項６】
前記流路と廃液領域との間には、流路内の試料液を毛細管現象により廃液領域に流通させるための多孔質のフィルタが設けられていることを特徴とする請求項１ないし５のいずれか一つに記載の感知センサー。
【請求項７】
請求項１ないし６のいずれか一項に記載の感知センサーと前記測定器とを含むことを特徴とする感知装置。
【発明の詳細な説明】
【技術分野】
【０００１】
本発明は、感知対象物がその表面に設けられた吸着膜に吸着することで固有振動数が変わる圧電振動子を用いて感知対象物を感知するための感知センサー及びこの感知センサーを含む感知装置に関する。
【背景技術】
【０００２】
臨床分野においてはＰＯＣＴ（Point of core TEST）と呼ばれる簡便な検査方法が普及している。このＰＯＣＴとしては、例えば糖尿病患者が自ら行う血糖値自己モニタリングや、患者がインフルエンザウイルスに感染しているか否かを診断するために行うインフルエンザウイルス検査がある。また、例えば食品中に含まれるアレルゲンなどの所定の成分の有無を検出する試験にも用いられる。
【０００３】
このような簡便な検査に、ＱＣＭ（Quartz Crystal Microbalance）を利用した感知センサーを用いることが検討されている。ＱＣＭは、水晶振動子の電極表面に物質が付着するとその質量に応じて共振周波数が変動する性質を利用するものである。特許文献１には、水晶振動子の表面に感知対象物を吸着する吸着膜を設け、当該水晶振動子に試料液を供給し、水晶振動子の周波数の変化に基づいて感知対象物の定量検査を行う感知センサーが記載されている。具体的には、感知対象物を含まない参照液を供給したときの前記周波数と、感知対象物の有無や濃度が未知である試料液を供給したときの前記周波数とを検出し、これらの周波数の差分が前記吸着膜に吸着された感知対象物の質量に対応するものとして感知対象物の検出や濃度の測定を行っている。
【０００４】
しかし、この感知センサーでは水晶振動子の表面に液体を供給すると、液体が水晶振動子の表面に貯留されたままの状態になる。従って、同じ感知センサーに前記参照液を入れて周波数測定を行った後に試料液を入れると、試料液が参照液により希釈され、感知対象物の質量に加えて試料液の質量が水晶振動子の周波数に影響を与えてしまう結果、正常に測定が行えなくなるおそれがある。そこで、参照液を供給する感知センサーと、試料液を供給する感知センサーと、を夫々用意して測定を行うが、このように複数の感知センサーを用いることで測定のコストがかさんでしまうという問題がある。また、ＱＣＭには水晶振動子の表面に試料液を連続的に流すと共にその表面から試料液を排出するフロースルーセル方式が知られているが、この方式は通常、ポンプを必要とするので装置が大掛かりになってしまい、インフルエンザウイルス検査のような簡便な検査には向かない。
【０００５】
特許文献２には、ＰＤＭＳ（ジメチルポリシロキサン）製の第１の流路形成部材とガラス製の基板とを接合させてＱＣＭセンサーを構成する例が記載され、特許文献３には、アクリル樹脂製の流路形成部材にシリコン樹脂を充填して音響整合材を構成する例が記載されている。しかしながら、これら特許文献２及び特許文献３は、いずれもフロースルーセル方式のＱＣＭセンサーであり、これらによっても本発明の課題を解決することは困難である。
【先行技術文献】
【特許文献】
【０００６】
【特許文献１】特開２００９-２０６７９２号公報（図２、図３など）
【特許文献２】特開２００６−４７０３１号公報（００２０など）
【特許文献３】特開２００８−１５１７２１号公報（００３５など）
【発明の開示】
【発明が解決しようとする課題】
【０００７】
本発明は、このような事情の下になされたものであり、その目的は、簡便に感知対象物の検出または定量を行うことができる感知センサー及び感知装置を提供することである。
【課題を解決するための手段】
【０００８】
本発明の感知センサーは、
発振周波数を測定するための測定器に接続される接続端子を備えると共に、一面側に凹部が形成された配線基板と、
圧電片に励振電極を設けて構成され、前記凹部を塞ぎ且つ振動領域が凹部と対向するように前記配線基板に固定されると共に、励振電極が前記接続端子に電気的に接続され、一面側に試料液中の感知対象物を吸着する吸着膜が形成された圧電振動子と、
圧電振動子を含む配線基板の一面側の領域を覆うように設けられ、試料液の注入口を備えた流路形成部材と、
前記配線基板と流路形成部材との間に形成され、前記注入口に供給された試料液を、圧電振動子の一面側において一端側から他端側へ向けて毛細管現象により流通させる流路と、
前記流路形成部材において前記流路の下流側に設けられ、流路から流出した試料液を貯留するための廃液領域と、
前記流路形成部材よりも試料液に対する親和性が高い材質よりなり、前記流路から流出した試料液がその表面を伝わって流れるように前記流路形成部材と組み合わされて前記廃液領域を形成する廃液領域形成部材と、
前記流路に試料液を流通させるために前記廃液領域に開口した通気口と、を備えることを特徴とする。  
また、本発明の感知装置は、上記の感知センサーと前記測定器とを含んだことを特徴とする。
【発明の効果】
【０００９】
本発明の感知センサーによれば、試料液が毛細管現象により注入口から圧電振動子の一面側の流路を介して廃液領域へ向かい、試料液中に含まれる感知対象物が圧電振動子に設けられた吸着膜に吸着される。従って、試料液を注入口から廃液領域へ向けて流すためにポンプなどの機器を設ける必要が無いため、装置の大型化や複雑化を防ぎ、簡便に測定を行うことができる。また、試料液は圧電振動子の一面側の流路を流通して、当該流路の下流側に設けられた廃液領域に貯留されるので、背景技術の項目で説明したように参照液に続いて供給された試料液が、当該参照液により希釈されることが抑えられ、測定精度の低下が抑えられる。さらに、廃液領域には、前記流路から流出した試料液がその表面を伝わって流れるように、流路形成部材よりも試料液に対する親和性が高い材質よりなる廃液領域形成部材が設けられている。このため、試料液が廃液領域形成部材に沿って濡れ拡がりやすく、流路内の試料液がスムーズに廃液領域に流れていくので、測定を速やかに行うことができる。
【図面の簡単な説明】
【００１０】
【図１】本発明に係る感知装置の斜視図である。
【図２】感知装置を構成する感知センサーの斜視図である
【図３】感知センサーの各部の上面側を示した分解斜視図である。
【図４】感知センサーの各部の下面側を示した分解斜視図である。
【図５】感知センサーの縦断面図である。
【図６】感知センサーの平面図である。
【図７】感知センサーの縦断面図である。
【図８】感知装置の構成を示すブロック図である。
【図９】感知センサーにて液体が流通する様子を示す縦断面図である。
【図１０】感知センサーの他の例を示す縦断面図である。
【図１１】感知センサーを用いた実験のグラフ図である。
【発明を実施するための形態】
【００１１】
以下、本実施の形態に係る感知装置１について説明する。この感知装置１は、例えば人間の鼻腔の拭い液から得られた試料液中のインフルエンザウイルスの有無を検出し、人間のインフルエンザウイルスの感染の有無を判定することができるように構成されている。図１の外観斜視図に示すように、感知装置１は測定器１１をなす発振回路ユニット１２と演算装置１３とを備えており、発振回路ユニット１２は例えば同軸ケーブル１４を介して演算装置１３に接続されている。演算装置１３の筐体１５前面に設けられた表示部１６は、例えば周波数あるいは周波数の変化分等の測定結果を表示する役割を果たす。発振回路ユニット１２には感知センサー２が着脱自在に接続される。
【００１２】
続いて、感知センサー２について、図２〜図７を参照して説明する。図３及び図４は感知センサー２の各部材の表側、裏側を夫々示した分解斜視図、図５は感知センサー２の長さ方向（図５中Ｘ方向）に沿って切断した縦断面図、図６は感知センサー２の配線基板３を示す平面図、図７は感知センサーを図５のＡ−Ａ´線に沿って切断した縦断面図である。図中３は配線基板であり、この配線基板３は直線方向に延伸された形状を有し、直線方向（長さ方向）の他端側は、上記の発振回路ユニット１２の差し込み口１７に差し込まれる差し込み部３１を形成している。また、配線基板３には貫通孔３２が形成されており、この貫通孔３２を配線基板３の裏面側から塞ぐようにフィルム３３が固着されている。この貫通孔３２及びフィルム３３によって配線基板３の一面側（表面側）に開口した凹部が形成される。
【００１３】
配線基板３の表面には、貫通孔３２の外縁近傍から差し込み部３１側に伸びるように、３本の配線３４、３５、３６が設けられており、これら配線３４〜３６の両端部は、夫々端子部３４１、３５１、３６１、接続端子３４１、３５１、３６１を形成している。また、配線基板３には貫通孔３７及び切り欠き３８、３９が夫々形成されている。
【００１４】
この配線基板３には前記貫通孔３２を一面側から塞ぐように水晶振動子４が設けられている。水晶振動子４の水晶片４１は例えば円形に構成され、水晶振動子４の表面側及び裏面側には夫々励振電極４２、４３が形成されている。表面側の励振電極４２は例えば略コ字状に形成され、裏面側の励振電極４３は互いに平行に設けられた２つの励振電極４３１、４３２を備えている。表面側の励振電極４２と励振電極４３１、４３２とは、水晶片４１を介して互いに対向するように形成されている。表面側の励振電極４２には共通の引出電極４４が設けられていて、この引出電極４４の先端側は水晶片４１の裏面側に引き回されている。また、裏面側の励振電極４３１、４３２には夫々引出電極４４１、４４２が接続されている。
【００１５】
さらに、表面側の励振電極４２において、便宜上励振電極４３１、４３２に対向している各領域を励振電極４２１、４２２とすると、励振電極４２１の表面には、感知対象物であるインフルエンザウイルスと選択的に結合する抗体により構成された吸着膜４５１が設けられている。一方、励振電極４２２の表面にはインフルエンザウイルスと励振電極４２２との結合を阻害する阻害膜４５２が設けられている（図８参照）。こうして、水晶片４１と励振電極４２１、４３１とにより第１の水晶振動子４Ａが構成され、水晶片４１と励振電極４２２、４３２とにより第２の水晶振動子４Ｂが構成される。これら水晶振動子４Ａ、４Ｂは、引出電極４４が配線基板３の配線３５１、引出電極４４１、４４２が配線基板３の配線３６１、３４１の夫々に重なるように設けられる。このように設けると、水晶振動子４の各電極及び配線基板３の各配線の厚さは極めて小さいため、水晶振動子４の周縁部は配線基板３に接し、水晶振動子４は配線基板３に略水平な状態で設けられる。
【００１６】
前記配線基板３の一面側には、水晶振動子４を挟み込むように下部側流路形成部材５が設けられている。この下部側流路形成部材５は流路形成部材をなす板状部材であり、配線基板３の差し込み部３１を構成する他端部側を露出させ、水晶振動子４が設けられる一端部側を覆うように形成されている。この下部側流路形成部材５は例えば自己吸着性が高い合成樹脂例えばＰＤＭＳ（ポリジメチルシロキサン）により構成されている。下部側流路形成部材５はプラズマ洗浄されて、その表面が活性化されると共に表面の有機物が除去された状態で、図示のように配線基板３に接着される。このようにＰＤＭＳにより構成することにより、配線基板３への吸着性が高くなり、後述するように水晶振動子４に液体を供給したときに、配線基板３と下部側流路形成部材５との間からの液体の漏れが抑えられる。また、プラズマ洗浄を行うことにより、下部側流路形成部材５と前記液体との親和性が高められて当該液体の流通が容易になる上、下部側流路形成部材５と配線基板３との密着性がさらに高められる。
【００１７】
下部側流路形成部材５の裏面側には、水晶振動子４及び配線３４〜３６が収まるようにこれらの外形に沿って凹部５１が設けられている。この凹部５１には、水晶振動子４に夫々重なる位置に、下部側流路形成部材５の厚さ方向に貫通する貫通孔５２、５３が形成されている。また、これら貫通孔５２、５３を囲む枠部５４が下側に突出して設けられている。この枠部５４は、図６に示すように、励振電極４２を囲むように設けられ、励振電極４２の長さ方向における一端側及び他端側近傍には夫々貫通孔５２、５３が配置される。前記枠部５４に囲まれる領域は流路５７を形成し、この流路５７は水平な天井面を備え、流路５７の下面は水晶振動子４により構成される。また、前記励振電極４２１（４３１）、４２２（４３２）は貫通孔５２と貫通孔５３とを結ぶ線に対して、互いに対称に設けられている。前記貫通孔５２、５３には夫々入口側フィルタ５５及び出口側フィルタ５６が挿入され、後述のように、液体は入口側フィルタ５５から流路５７内に入り込み、出口側フィルタ５６を介して排出される。図６は、配線基板３と水晶振動子４、枠部５４、上部側フィルタ５５、下部側フィルタ５６を示す平面図である。下部側流路形成部材５には配線基板３の貫通孔３７に対応する位置に貫通孔５８が形成される。なお、下側流路形成部材５はＰＤＭＳの他に例えばアクリル樹脂等の合成樹脂や水晶などにより構成することができる。
【００１８】
下部側流路形成部材５の上面側には、廃液領域６を形成するための凹部６１が設けられている。この凹部６１は、例えば前記下部側流路形成部材５の貫通孔５４に重なる位置から配線基板３の他端側へ向かって広がるように、前記流路３７の下流側に形成され、凹部６１の底面の一端側には前記貫通孔５４が貫通している。この凹部６１には、当該凹部６１の開口部を塞ぐように、廃液領域形成部材６３が設けられている。この廃液領域形成部材６３は、前記下部側流路形成部材５よりも試料液に対する親和性が高い材質より構成されている。こうして、前記流路５７から流出した試料液がその表面を伝わって流れるように、廃液領域形成部材６３と下部側流路形成部材５とを組み合わせて前記廃液領域６が形成されている。この例では、試料液はインフルエンザウイルスの有無を検出するために人間の鼻腔の拭い液から得られたものであって、試料液は水性であるので、廃液領域形成部材６３はＰＤＭＳよりも親水性が高い材質であるガラスのプレートにより構成されている。
【００１９】
そして、凹部６１には、例えば図７に示すように、その内周に沿って一段下がる段部６２が形成されており、この段部６２にプレート状の廃液領域形成部材６３の周縁部を載置することにより、前記廃液領域６が形成されている。前記段部６２は凹部６１の周縁部に沿って設けられればよく、必ずしも周縁部の全周に亘って設けられる必要はない。例えば廃液領域形成部材６３は、その平面形状が例えば凹部６１の開口部の平面形状と揃うように形成され、段部６２に載置されたときに、凹部６１の開口部を塞ぎ、かつ廃液領域形成部材６３の表面の高さ位置が下部側流路形成部材５の凹部６１以外の領域の高さ位置と揃うように構成されている。また、廃液領域形成部材６３の厚さは凹部６１の深さよりも小さく形成され、廃液領域形成部材６３を段部６２に載置したときには、凹部６１と廃液領域形成部材６３の下面との間に廃液領域６が形成される。この廃液領域６は試料液を貯留するものであるため、例えば廃液領域６の深さは１ｍｍ程度に設定される。さらに、この例では凹部６１は廃液領域形成部材６３の下方側において、差し込み部３１側に切りかかれて広がるように構成されている。
【００２０】
既述のように廃液領域形成部材６３は、下部側流路形成部材５よりも親水性が高い材質により構成されているが、親水性が高いとは濡れ性が大きく、水性の試料液が濡れ広がりやすいことをいい、下部側流路形成部材５よりも親水性が高いとは、液体が付着したときの接触角が下部側流路形成部材５よりも廃液領域形成部材６３の方が小さいことをいう。また、水性の試料液とは、水との親和性が高い試料液をいう。
【００２１】
このような廃液領域形成部材６３は、既述のようにプラズマ洗浄された下部側流路形成部材５の凹部６１の段部６２に、廃液領域形成部材６３の周縁部を載置して両者を押圧することにより、下部側流路形成部材５に接合される。また、廃液領域形成部材はガラスの表面を親水化した親水化ガラスにより形成するようにしてもよい。この親水化ガラスは、例えばガラスの表面に紫外線（ＵＶ）を照射してから、親水性コーティング剤を塗布することにより構成される。この親水化は、試料液と接触する面のみに施すようにしてもよい。
【００２２】
下部側流路形成部材５の一面側には上部側流路形成部材７が設けられている。この上部側流路形成部材７は、例えばプラスチックなどの樹脂により構成された板状部材であり、下部側流路形成部材５を覆うように形成されている。上部側流路形成部材７には、当該上部側流路形成部材７を厚さ方向に貫通する貫通孔７１が開口しており、この貫通孔７１は前記下部側流路形成部材５の貫通孔５２に重なる位置に形成されている。
【００２３】
図３及び図４中の突起７２は、配線基板３の貫通孔３７及び下部側流路形成部材５の貫通孔５８に進入し、これにより下部側流路形成部材５の横方向への位置ずれが抑えられる。また、図中の爪部７３、７４は、配線基板３と上部側流路形成部材７との間に水晶振動子４及び下部側流路形成部材５を挟んだ状態で、前記配線基板３の切り欠き３８、３９の裏面側の縁部に係合する。これにより、下部側流路形成部材５の枠部５４が水晶振動子４の縁部を配線基板３の貫通孔３２の外縁に押圧した状態となり、水晶振動子４が前記貫通孔３２を塞ぐように配線基板３に固定される。
【００２４】
上部側流路形成部材７の上面側には、液受け部７５として構成される凹部が形成されており、この凹部内に前記貫通孔７１が開口している。また、この上面側には前記廃液領域６と連通する通気口７６が設けられており、この感知センサー２内を供給液が流通するときに各流路の気体はこの通気口７６から感知センサー２の外部へ押し出される。
【００２５】
前記入口側フィルタ５５、出口側フィルタ５６は例えば円柱状に構成され、前記貫通孔５２、５３に着脱自在に設けられる。これら入口側フィルタ５５、出口側フィルタ５６は、多孔質体であるセルロースや化学繊維束により構成されている。入口側フィルタ５５は下部側流路形成部材５の貫通孔５２を塞ぎ、その上端側が液受け部７５に露出し、その下端側が下部側流路形成部材５の流路５７内に進入するように設けられている。出口側フィルタ５６は、図７に示すように、下部側流路形成部材５の貫通孔５３を塞ぎ、その上端側が下部側流路形成部材５の凹部６１内に進入して廃液領域形成部材６３の下面に当接し、その下端側が下部側流路形成部材５の流路３７内に進入するように設けられている。これらフィルタ５５、５６においては、前記セルロースや化学繊維束の繊維間の空隙を毛細管現象により供給液が流通する。従って、入口側フィルタ５５の繊維間の孔（多孔質のフィルタの孔）は、試料液の注入口に相当する。
このように構成された感知センサー２は、配線基板３の差し込み部３１を発振回路ユニット１２の差し込み口１７に差し込んだときに、水晶振動子４の各電極が発振回路８１１、８１２に電気的に接続できるようになっている。
【００２６】
続いて、感知装置１を構成する演算装置１３に設けられる各部について、図８を用いて説明する。前記発振回路８１１、８１２の後段にはスイッチ部８２が設けられており、このスイッチ部８２によって２つの発振回路８１１、８１２からの周波数信号を時分割して後段に取り込み、各振動領域の発振周波数を並行して求めることができる。第１の発振回路８１１からの出力をチャンネル１、第２の発振回路８１２からの出力をチャンネル２とすると、例えば１秒間をｎ分割（ｎは偶数）し、各チャンネルの発振周波数を１／ｎ秒の処理で順次求めることにより、１秒間に少なくとも１回以上周波数を取得しているため、実質同時に各チャンネルの周波数を取得することができる。
【００２７】
スイッチ部８２の後段には測定回路部８３が設けられている。測定回路部８３は入力信号である周波数信号をディジタル処理して、各チャンネルの発振周波数を測定する。以下、チャンネル１、２の出力を夫々Ｆ１、Ｆ２で表す。また、演算装置１３はデータバス８０を備えており、データバス８０にはＣＰＵ８４、データ処理プログラム８５を格納した記憶手段、メモリ８６及び既述の測定回路部８３が接続されている。更にデータバス８０には既述の表示部１６やキーボード等の入力手段８７が接続されている。
【００２８】
データ処理プログラム８５は、測定回路部８３から出力される信号に基づいて発振周波数「Ｆ１」の時系列データ及び発振周波数「Ｆ２」の時系列データを取得し、メモリ８６に格納する。また、このデータ取得動作と同時に、同一の時間帯におけるチャンネル１から取得した発振周波数Ｆ１、チャンネル２から取得した発振周波数Ｆ２の各時系列データの差分「Ｆ１−Ｆ２」を夫々演算し、当該差分データの時系列データを取得してメモリ８６に格納すると共に、この「Ｆ１−Ｆ２」のグラフを表示部１６に表示する。
【００２９】
続いて、感知センサー２を用い、試料液中のインフルエンザウイルスの有無を判定する工程について説明する。この感知センサー２は、発振回路ユニット１２に接続された後、図９（ａ）に示すように図示しないインジェクタを用いて液受け部７５に、例えば生理食塩水からなりインフルエンザウイルスを含まない参照液を滴下する。この参照液は毛細管現象により入口側フィルタ５５に吸収され、当該フィルタ５５内を流通し、流路５７に流れ込んで水晶振動子４の一端部側の表面に供給される。
【００３０】
水晶振動子４を構成する水晶片４１の表面は親水性であるため、流路５７内を濡れ広がろうとする作用が強く働く。その結果、毛細管現象によって参照液は流路５７を水晶振動子４の他端部側へと流れ、流路５７に広がった参照液に続いて入口側フィルタ５５の参照液は、表面張力により水晶片４１の表面へと引き出される。このようにして液受け部７５から流路５７へ連続して参照液が流れていく。なお、ここで毛細管現象とは上記のように液体が、当該液体が接する物体がなす空間内を、前記物体との界面張力により当該液体が有する表面張力に抗して自動で濡れ広がって移動することを指し、液体が移動する方向が上下方向である場合だけでなく、横方向であっても毛細管現象という用語を使用する。
【００３１】
流路５７を流れる参照液が、励振電極４２１、４２２表面に供給されると、既述のようにこれら励振電極４２１、４２２は流路５７の入口側から出口側へ向かって見て対称に形成されているため、等しく水圧の影響を受ける。これによって第１の水晶振動子４Ａ、第２の水晶振動子４Ｂの発振周波数Ｆ１、Ｆ２が共に等しく低下する。つまりＦ１−Ｆ２がこの水圧の影響を受けて変化することが抑えられるので、Ｆ１−Ｆ２の測定データにノイズが発生することが抑えられる。励振電極４２１、４２２及び電極表面に形成される各膜４５１、４５２も比較的親水性が高いため、各電極４２１、４２２表面においても参照液はスムーズに流れる。
【００３２】
そして、水晶振動子４表面の参照液が出口側フィルタ５６に供給されると、参照液は毛細管現象により出口側フィルタ５６に吸収され、当該フィルタ５６内を流れて廃液領域６へ滲み出る。廃液領域６の上面は親水性の廃液領域形成部材６３により構成されているため、参照液は廃液領域形成部材６３に対して濡れ拡がりやすく、例えば廃液領域６の深さが１ｍｍ程度の場合には、図９（ｂ）に示すように、廃液領域形成部材６３の表面（廃液領域６に臨む面）を伝わって流れていく。なお、図９（ｂ）に示すθは、廃液領域形成部材６３に対する参照液の接触角である。廃液領域形成部材６３は、既述のように出口側フィルタ５６から広がるように形成されているので、試料液は廃液領域形成部材６３に沿って広がりながら流れ、出口側フィルタ５６側から廃液領域６に貯留される。こうして入口側フィルタ５５から出口側フィルタ５６までの流路が参照液で満たされることにより、毛細管現象に加えてサイホンの原理が働き、引き続き自動的に液受け部７５の参照液が水晶振動子４表面を通過して廃液領域６へ流れ込む。従って、廃液領域６の液流れと流路５７までの液流れとがスムーズに繋がり、液受け部７５から流路５７を介して廃液領域６に向けて自動的に流れる液流れが形成されるので、液受け部７５の参照液が廃液領域６まで安定した流速でスムーズに流れていく。廃液領域６の側壁部はＰＤＭＳにより構成されているが、流路５７の参照液が自動的に廃液領域形成部材６３に向けて流れてくるため、後から来る参照液により押し出されるようにして流れ、廃液領域６において出口側フィルタ５６側から徐々に貯留されていく。
【００３３】
液受け部７５の参照液がすべて入口側フィルタ５５に流れ込むと、入口側フィルタ５５内の参照液が受ける圧力と、出口側フィルタ５６内の参照液が受ける圧力とが等しくなり、参照液の流れが一旦停止する。その後、参照液と同様に試料液を液受け部へ供給すると、入口側フィルタ５５に吸収されている参照液に加わる圧力が高くなり、サイホンの原理と毛細管現象とによって当該参照液は再び廃液領域６へ向かって流れ、試料液が入口側フィルタ５５に吸収される。なお、図中試料液は参照液よりも濃いグレーで表示している。吸収された試料液は、参照液に続いて入口側フィルタ５５から流路５７に流れ込み、参照液と同様に流路５７を流れ、流路５７が参照液から試料液に置換される（図９（ｃ））。
【００３４】
このときにも、励振電極４２１、４２２が流路の入口側から出口側に見て対称に形成されているため、これらの電極４２１、４２２は流路５７内の液の切り替わりによる圧力変化を均等に受け、当該圧力変化による第１の水晶振動子４Ａ、第２の水晶振動子４Ｂの発振周波数が互いに揃って変化する。従って、このときにもＦ１−Ｆ２の測定データにノイズが発生することが抑えられる。
【００３５】
流路５７を広がった試料液は出口側フィルタ５６に流れ、廃液領域６に流れ込み、入口側フィルタ５５から廃液領域６に至るまで試料液が流れ続ける。このときに試料液中に測定対象物（この例ではインフルエンザウイルス）が含まれる場合には吸着膜４５１に当該インフルエンザウイルスが吸着され、この吸着量に応じて周波数Ｆ１が下降し、Ｆ１−Ｆ２が変化する。液受け部７５の試料液がすべて入口側フィルタ５５に流れ込むと、入口側フィルタ５５内の試料液が受ける圧力と、出口側フィルタ５６内の試料液が受ける圧力とが等しくなり、試料液の流れが停止する（図９（ｄ））。このようにＦ１−Ｆ２の変化に基づいて試料液中のインフルエンザウイルスの有無の判定を行うことができる。また、発振振周波数差Ｆ１−Ｆ２の変化量と試料液中の感知対象物の濃度との関係式を取得しておき、この関係式と測定により得られた変化量とから、試料液中の感知対象物の濃度を求めてもよい。なお図９（ｃ）及び図９（ｄ）では廃液領域６内に参照液等が貯留される様子を示しているが、既述のように実際には参照液等は出口フィルタ５６側から徐々に貯留されていくと推察される。
【００３６】
この感知センサー２においては、試料液が毛細管現象により注入口から水晶振動子４の一面側の流路５７を介して励振電極４２の一端側から他端側へと流れ、試料液中に含まれる感知対象物が水晶振動子４に設けられた吸着膜４５１に吸着される。従って、試料液を流通されるためにポンプなどの機器を設ける必要が無いため、装置の大型化や複雑化を防ぎ、簡便に測定を行うことができる。また、先に供給した供給液は、後から供給液を供給すると廃液領域６に流されて、流路５７から除去される。このため、上記の測定手法において先に供給された参照液により後から供給された試料液が希釈されることが抑えられ、このことによっても測定の感度が高くなる。
【００３７】
さらに、廃液領域６は試料液に対する親和性の高い廃液領域形成部材６３を備えているため、流路５７から流出した試料液が廃液領域形成部材６３に沿って濡れ拡がりやすい。従って、流路５７内の試料液が廃液領域６にスムーズに流れるので、流路５７内の参照液から試料液の置換に要する時間が短くて済み、測定に要する時間が短縮されて、測定を速やかに行うことができる。また、試料液の流速が安定するので、測定精度を安定させることができる。さらに、前記廃液領域６は、下部側流路形成部材５の表面に形成された凹部５１を塞ぐように廃液領域形成部材６３を設けることにより構成されているので、試料液との親和性が高い壁面を備えた廃液領域６を容易に構成することができる。さらに、上述の例では、下部側流路形成部材５に形成した凹部６１に段部６２を設け、この段部６２に廃液領域形成部材６３の周縁部を載置して廃液領域６を形成している。従って、仮に段部６２と廃液領域形成部材６３の周縁部との間の接着力が小さい部分が発生したとしても、廃液領域形成部材６３の側方には下部側流路形成部材５が存在するので、側方への液漏れが防止できる。
【００３８】
さらにまた、下部側流路形成部材５をＰＤＭＳよりなる合成樹脂、廃液領域形成部材６３をガラスにより構成する場合には、両者の密着性が良好であるため、ＰＤＭＳ表面をプラズマ処理し、廃液領域形成部材６３と下部側流路形成部材５との接触領域を押圧することによって、両者を容易かつ確実に接着することができる。従って、試料液の漏れのない廃液領域６を簡単に形成することができる。
【００３９】
さらにまた、上述の例では、出口側フィルタ５６の上端が廃液領域形成部材６３の下面に接触するように設けられているので、流路５７の出口側において、試料液が確実に廃液領域形成部材６３に接触するため、流路５７内の試料液がより速やかに廃液領域６に流れていく。
【００４０】
ところで、廃液領域６に廃液領域形成部材６３を設けない場合には、廃液領域６はその内壁面全体が合成樹脂（ＰＤＭＳ）により構成されるので、撥水性が高く、液体を弾いてしまう。従って、液体が廃液領域６に広がりにくいため、流路５７から流出した液体が廃液領域６にスムーズに流れていかず、液受け部７５から流路５７を介して廃液領域６に向けて自動的に流れる液流れが形成されにくい。このため、液受け部７５の参照液が廃液領域６まで流れるときの流速が廃液領域形成部材６３を設ける場合に比べて遅くなったり、不安定になってしまう。
従って、廃液領域６に液体を速やかに流通させるためには、廃液領域６を親水化する必要があるが、合成樹脂の親水化は、親水化コーティング剤を供給する前に、合成樹脂の表面にシリカ膜を形成する工程が必要である。このため、ガラスの親水化に比べて工程数が多くなり、製造コストが増大してしまう。
また、廃液領域６のみを親水化しようとすると、さらに工程数が多くなり、廃液領域６のみの一様な親水化処理を行うことは困難である。一方、廃液領域６が形成される下部側流路形成部材５全体を親水化しようとすると、粘度の低い試料液を滴下した場合、下部側流路形成部材５と上部側流路形成部材７との隙間から試料液が漏れ出すおそれがある。従って、本発明のように流路形成部材と、流路形成部材よりも試料液に対する親和性が大きい廃液領域形成部材とを組み合わせて廃液領域を形成する効果は大きい。
【００４１】
さらにまた、上述の感知センサー２は、自動で供給液が流れるように流路の高さが抑えられているため、試料液中の感知対象物は水晶振動子の吸着膜の近傍を流れるので、当該吸着膜に吸着されやすい。従って、測定の感度を高くすることができ、測定に要する時間が短くなる。
さらにまた、上記の感知センサー２においては水晶振動子上の流路を液体で満たした状態で、前記液体の液流れが形成されるため、特許文献１の感知センサーに比べて、供給液の液面の揺れにより第１の水晶振動子及び第２の水晶振動子の周波数が変動することを抑えることができる。さらに、滴下した液が毛細管を介して水晶振動子表面に供給されることにより、水晶振動子に直接供給液を滴下する場合に比べて、供給液の滴下の衝撃による周波数の変動を抑えられるため、精度高い測定を行うことができる。
【００４２】
さらにまた、感知センサー２では、入口側フィルタ５５の微細な孔が供給液の注入口を形成しており、さらに、廃液領域６の上側の一部の領域のみが気体の通気口として感知センサー２の外部に開放されている。これによって、感知センサー２内に進入した供給液が外部の空気に曝されて乾燥することが抑えられる結果、前記供給液の密度の変化が抑えられるので、精度高くＦ１−Ｆ２を検出することができる。なお、この感知センサー２においても、水晶振動子４Ａ、４Ｂを分割した水晶片により構成し、各水晶片を互いにごく近くに配置してもよい。
また、試料液を感知センサー２に供給した後に、吸着膜に吸着された感知対象物と結合する増感材を含んだ供給液（増感液）を供給することができ、さらにそのように感知対象物に結合された増感材にさらに結合する増感材を含んだ増感液を供給して、増感を行うことができる。このような増感液を用いる場合にも当該増感液を流路に供給したときに先に供給された液が流路から排液されるので、増感液の希釈が防がれる。従って増感材の結合が速やかに起こるので、測定の感度を高くできると共に測定時間が長くなることを抑えることができる。
【００４３】
以上において、必ずしも第１の水晶振動子４Ａ及び第２の水晶振動子４Ｂを設ける必要はなく、吸着膜を備えた水晶振動子を一つ設ける構成であってもよい。吸着膜に感知対象物が吸着されると発振周波数が変化するため、例えば予め閾値を設定しておき、閾値を超えるか否かで感知対象物の有無を検出することができるからである。
【００４４】
また廃液領域形成部材は、廃液領域６における試料液の濡れ拡がり性を向上させるために設けられるので、廃液領域形成部材は廃液領域６において、前記試料液がその表面を伝わって流れるように設けられればよい。例えば図１０（ａ）に示すように、凹部６１の底面を覆うように廃液領域形成部材９１を設けるようにしてもよいし、図１０（ｂ）に示すように、上部側流路形成部材７に下側が開口する凹部７７を形成し、この開口部を塞ぐように廃液領域形成部材９２を設けるようにしてもよい。図１０（ｂ）の例では、下部側流路形成部材５と上部側流路形成部材７とにより流路形成部材が構成され、廃液領域形成部材９２は下部側流路形成部材５の表面に載置されている。これら図１０（ａ）、（ｂ）の構成では、流路５７からの液体を廃液領域形成部材６３の表面に流出させるように出口側フィルタ５６の上端が廃液領域形成部材６３の表面と揃うか突出するように設けられている。
【００４５】
また、廃液領域形成部材は、酸化ケイ素（ＳｉＯ２）や水晶により構成してもよい。さらに、試料液が油性であってもよく、この場合には、廃液領域形成部材は流路形成部材よりも親油性（親和性）が高い材質により構成される。
（評価試験）
感知センサー２を用いて上記の実施形態に従ってＦ１、Ｆ２及びＦ１−Ｆ２が変化する様子を調べた。この評価試験では試料液としてコーヒーを１０マイクロリットル供給し、第１の水晶振動子の吸着膜としてはＢＳＡ（ウシ血清アルブミン）を用いた。廃液領域は、下部側流路形成部材５の表面に深さ１ｍｍ、幅３ｍｍの凹部６１を形成し、この凹部６１の上面を透明な板ガラスにより塞ぐことにより形成した。
【００４６】
図１１は、発振周波数Ｆ１、Ｆ２、Ｆ１−Ｆ２の変化を示したグラフである。グラフの縦軸は発振周波数（単位：Ｈｚ）であり、横軸は発振周波数（単位：秒）である。点線でＦ１を示し、鎖線でＦ２を示し、実線でＦ１−Ｆ２を夫々示している。試料液が水晶振動子４上を流れると応力がかかり、応力変化で周波数が変化し、流れ終わったら安定するが、図１１では波形が乱れていることから、試料液が水晶振動子４上を通過していくことが認められる。また、試料液がコーヒーであることから、試料液が流路３７を通過して廃液領域６に流れることが透明な板ガラスを介して目視で確認できた。
【符号の説明】
【００４７】
１                感知装置
２                感知センサー
３                配線基板
４                水晶振動子
４１              水晶片
４５１            吸着膜
５                下部側流路形成部材
５５              入口用フィルタ
５６              出口用フィルタ
５７              流路
６                廃液領域
６１              凹部
６３              廃液領域形成部材
【図１】
2014145651.tif 000003
【図２】
2014145651.tif 000004
【図３】
2014145651.tif 000005
【図４】
2014145651.tif 000006
【図５】
2014145651.tif 000007
【図６】
2014145651.tif 000008
【図７】
2014145651.tif 000009
【図８】
2014145651.tif 000010
【図９】
2014145651.tif 000011
【図１０】
2014145651.tif 000012
【図１１】
2014145651.tif 000013